(57)【特許請求の範囲】
【請求項１】
キャビネットに設けたハードディスクドライブユニット収納部にハードディスクドライブユニットを挿入し、該ハードディスクドライブユニットをロックレバーで、上記ハードディスクドライブユニット収納部内に設けた第１のストッパー部に対し挿入方向に押し付けてロックするようになっているデータ記録再生装置において、
上記ハードディスクドライブユニット収納部には、上記挿入方向と略平行に第２のストッパー部を設け、
上記ハードディスクドライブユニットには、これを上記ハードディスクドライブユニット収納部に挿入したときに、上記第２のストッパー部の上記挿入方向と平行する面に所定の圧力で接触して上記ハードディスクドライブユニットの挿入方向と直交する方向への動きを規制するストッパー接触部を設けた
ことを特徴とするデータ記録再生装置。
【請求項２】
請求項１において、
上記第２のストッパー部は、上記ハードディスクドライブユニット収納部に挿入されたハードディスクドライブユニットの一側面と対向する位置に、上記一側面と略平行に金属製の平板状の弾性片を設けることにより形成され、
上記ストッパー接触部は、上記ハードディスクドライブユニットの一側面に、該一側面に対して略垂直に鉤形状のフック片を立設することにより形成されていて、
上記ハードディスクドライブユニット収納部に上記ハードディスクドライブユニットを挿入すると、上記ハードディスクドライブユニット収納部に設けた平板状の弾性片が、上記ハードディスクドライブユニットに設けたフック片の凹部内に侵入し、これら凹部の上端に連続する凸部で上記弾性片の上面を押圧して、上記ハードディスクドライブユニットの動きを規制するようになっている
ことを特徴とするデータ記録再生装置。
【請求項３】
請求項２において、
上記第２のストッパー部を構成する平板状の弾性片は、上記ハードディスクドライブユニット収納部に上記ハードディスクドライブユニットを挿入したときに、上記フック片の根元部が圧入されるスリットを備えている
ことを特徴とするデータ記録再生装置。
【請求項４】
請求項２において、
上記第２のストッパー部を構成する平板状の弾性片は、上記ハードディスクドライブ収納部に挿入されたハードディスクドライブユニットの一側面の四隅部と対向する位置に形成されていて、上記ハードディスクドライブユニット収納部のユニット挿入口側の隅部において対向する一対の平板状の弾性片は、上記ドライブ収納部の上記ユニット挿入口と反対側において対向する他の一対の平板状の弾性片よりも外側に変位して設けられているとともに、
上記ストッパー接触部を構成するフック片は、上記ハードディスクドライブユニットの一側面の四隅部で、上記第２のストッパー部を構成する４つの平板状の弾性片と対向する位置に形成されている
ことを特徴とするデータ記録再生装置。
【発明の詳細な説明】
【０００１】
【発明の属する技術分野】
本発明は、ランダムアクセス可能なハードディスクドライブを複数台用いて映像・音声を記録再生する放送局用ＡＶ機器（以下、ビデオサーバーという）等に用いられるデータ記録再生装置に関するものである。
【０００２】
【従来の技術】
近年、ビデオサーバーにもハードディスクを使用したシステム（ＲＡＩＤ）が登場している。ＲＡＩＤは、一つのセット内に複数のハードディスクドライブユニット（以下、ＨＤＤユニットという）を搭載し、大容量および高速転送レートを達成する。また、パリティーデータを生成しておくことで、ＨＤＤユニットが１台故障しても、そのデーターを修復することができる。つまり、１台のＨＤＤユニットに問題が発生してもシステムを停止することなくそのＨＤＤユニットを交換し、データーを修復することができる。しかし、このためには、システム動作中にＨＤＤユニットが容易に交換（ホットスワップ）できなくてはならない。また、ＨＤＤユニットは振動・衝撃に非常に弱いため、交換時には他のＨＤＤユニットの振動・衝撃を与えぬよう十分に注意する必要がある。
【０００３】
上記ビデオサーバーにおいて、キャビネットに設けたハードディスクドライブユニット収納部（以下、ＨＤＤユニット収納部という）内にＨＤＤユニットを固定する方法としてネジで固定する方法、モータなどの動力を使用する方法、ロックレバーを使用する方法が知られている。
【０００４】
【発明が解決しようとする課題】
ところで、上記ネジを使用してＨＤＤユニットをＨＤＤユニット収納部内に固定する方法は、作業性が非常に悪く、またネジ締め作業によってシステム作動中のＨＤＤユニットに振動や衝撃を与えやすいという問題点がある。
【０００５】
また、モータなどの動力を使用する固定方法は、コストが高くなるほかスペース的な制約を受けやすいという問題点がある。
【０００６】
また、ロックレバーを用いる方法は、ＨＤＤユニット収納部にＨＤＤユニットを挿入し、該ＨＤＤユニットをＨＤＤユニット収納部の下端部に設けたストッパー部に押し付けて固定するという性質上、即ち、上記ＨＤＤユニットのＨＤＤユニット収納部への挿入方向の一端部と他端部を上記ストッパー部とロックレバーで挟着するという性質上、上記ＨＤＤユニットの挿抜方向側への固定つまり、挿抜方向側への動きの規制は確実に行うことができるが、上記挿抜方向と直交する方向の動きの規制は不確実なものとなり、ＨＤＤユニットの自己振動のような高周波で微少な変位を抑えることができず、また車載時のような強い振動や衝撃に耐えられないという問題点があった。
【０００７】
本発明は、上記ロックレバーを用いる固定方法において、上記ＨＤＤユニットを挿入方向は勿論のこと、挿入方向と直交する方向にも確実に固定することができるようにしたものである。
【０００８】
【課題を解決するための手段】
本発明は、キャビネットに設けたＨＤＤユニット収納部にＨＤＤユニットを挿入し、該ＨＤＤユニットをロックレバーで上記ＨＤＤユニット収納部の下端部に設けた第１のストッパー部に挿入方向に押し付けてロックするようになっているデータ記録再生装置において、
上記ＨＤＤユニット収納部には、上記ＨＤＤユニット挿入方向と略平行に第２のストッパー部を設けるとともに、
上記ＨＤＤユニットには、これを上記ＨＤＤユニット収納部に挿入したときに、上記第２のストッパー部のユニット挿入方向と平行な面に所定の圧力で接触して、上記ＨＤＤが挿入方向と直交する方向へ動くのを規制するストッパー接触部を設けた。
【０００９】
【発明の実施の形態】
本発明のデータ記録再生装置をビデオサーバーを例にとって以下の順序で説明する。（１）…ビデオサーバー全体の概略構造、（２）…ＨＤＤユニット収納部の構造、（３）…ＨＤＤユニットの構造、（４）…ロックレバーの構造、（５）…実施例の作用，効果、（６）他の実施例。
【００１０】
（１）ビデオサーバー全体の概略構造
図１に示したように、ビデオサーバー１は、キャビネット２内にＨＤＤラック３を備えている。
【００１１】
上記ＨＤＤラック３には、複数のＨＤＤユニット収納部１０１が設けられ、これら各ＨＤＤユニット収納部１０１には、上方からＨＤＤユニット２０１が挿入される。
【００１２】
上記ＨＤＤユニット収納部１０１に挿入されたＨＤＤユニット２０１は、ロックレバー３０１でロックされて、上記ＨＤＤユニット収納部１０１の下端部に設けられた第１のストッパー部１０６（図３参照）に押し付けられて上記ＨＤＤユニット収納部１０１内に固定されるようになっている。
【００１３】
上記ＨＤＤラック３に隣接する位置には、Ｉ／Ｆ（Ｉｎｔｅｒ／Ｆａｃｅ）収納部４が設けられていて、該Ｉ／Ｆ収納部４にはインターフェースボード５…５が取り付けられている。
【００１４】
また、上記Ｉ／Ｆ収納部４に隣接する位置にはＭＢ（Ｍａｉｎ  Ｂｏａｒｄ）収納部６が設けられていて、該ＭＢ収納部６には、上記インターフェースボード５…５を介して上記ＨＤＤユニット２０１…２０１を制御するメインボード７…７が取り付けられている。
【００１５】
上記ＨＤＤラック３の底部及びＩ／Ｆ収納部４の底部にはＩ／Ｆ用マザーボード８が取り付けられている。
【００１６】
上記ＭＢ収納部６の底部にはＭＢ用マザーボード９が取り付けられている。
【００１７】
上記ＭＢ収納部６の一側部には電源部１０が設けられている。また、上記キャビネット２のフロント側には、各種の操作ダイヤル１１…１１や液晶表示部１２を備えたフロントパネル１３が配置されているとともに、上記キャビネット２のリヤ側には複数のファン１４…１４からなる冷却装置１５が配置されている。
【００１８】
（２）ＨＤＤユニット収納部の構造
図２〜３に示したように、ＨＤＤユニット収納部１０１…１０１は、ＨＤＤラック３内に連続的に並べた状態で設けられている。
【００１９】
上記各ＨＤＤユニット収納部１０１は、上方の開口部１０２から左右一対の金属製の側板１０３，１０４の間にＨＤＤユニット２０１を挿入するようになっている。
【００２０】
上記一対の側板１０３，１０４の上端にはロックレバー３０１が係合する略コ字状のレバー係合部１０５が設けられている。
【００２１】
また、上記一対の側板１０３，１０４の下端には、挿入されてきたＨＤＤユニット２０１の下端が当接する第１のストッパー部１０６が一体的に折曲形成されている。
【００２２】
また、上記一対の側板１０３，１０４には、挿入されたＨＤＤユニット２０１の上記挿入方向と直交する方向の動きを規制するための第２のストッパー部１０７が設けられている。
【００２３】
上記第２のストッパー部１０７は、挿入されてきたＨＤＤユニット２０１の一側面の四隅部に位置する第１〜第４の弾性片１０８〜１１１からなっている。
【００２４】
上記第１〜第４の弾性片１０８〜１１１は、一対の側板１０３，１０４の一側部を略直角に折曲げることにより上記側板と一体に形成されていて、上記挿入されてきたＨＤＤユニット２０１の一側面に対して適宜の間隔をもってこれと平行するようになっている。
【００２５】
上記第１〜第４の弾性片１０８〜１１１のうち、上端側つまり上記開口部１０２側の隅部において対向する第１，第２の弾性片１０８，１０９は、下端側において対向する第３，第４の弾性片１１０，１１１よりも外側（側板側）に変位して設けられている。（上記第１，第２の弾性片１０８，１０９の間隔Ｄ１は上記第３，第４の弾性片１１０，１１１の間隔Ｄ２より大に設定されている）。
【００２６】
また、上記第１〜第４の弾性片１０８〜１１１のうち、一方の側板１０４側に設けられた第２，第４の弾性片１０９，１１１には、次に説明するＨＤＤユニット２０１の鉤形状のフック片が圧入されるスリット１１２が設けられている。
【００２７】
上記スリット１１２の開口部はテーパー面１１３になっていて、上記ＨＤＤユニット２０１のフック片を導入しやすいようになっている。
【００２８】
また、上記一対の金属製の側板１０３，１０４の内側面には合成樹脂製の挿入ガイド部材１１４が設けられている。
【００２９】
上記挿入ガイド部材１１４の内面には上下方向に伸びるレール状の凹部１１５が設けられていて、該レール状の凹部１１５に、次に説明するＨＤＤユニット２０１の両側面に設けたレール状の凸部２１６を嵌合することにより、上記ＨＤＤユニット２０１の挿入をガイドするようになっている。
【００３０】
また、上記ＨＤＤ収納部１０１の下部にはＨＤＤユニット２０１のコネクタが勘合するＳＣＡ（スカジ）コネクタ１２１が配置されている。上記ＳＣＡコネクタ１２１は、基板１２２に取り付けられていて、段付ネジ１２３によってフローディング状態で支持プレート１２４に取り付けられている。
【００３１】
（３）ＨＤＤユニットの構造
図４に示したように、ＨＤＤユニット２０１は、ＨＤＤ本体部２０２と、該ＨＤＤ本体部２０２を囲繞するようにしてネジ２０３…２０３により上記ＨＤＤ本体部２０２の外周に取り付けられたキャディーと称される金属製のケース（以下、キャディーという）２０４とからなっている。
【００３２】
上記キャディー２０４の上端部の中央部には、挿抜用の把手２０５が設けられ、該把手２０５の両側部には後に詳しく説明するロックレバー３０１，３０１が配置されている。
【００３３】
上記キャディー２０４の一側面２０４ａには、上記ＨＤＤユニット収納部１０１に挿入したときに上記第２のストッパー部１０７に所定の圧力で接触して、上記ＨＤＤユニット２０１が挿入方向と直交する方向に動くのを規制するストッパー接触部２１１が設けられている。
【００３４】
上記ストッパー接触部２１１は、上記キャディー２０４の一側面２０４ａの四隅部で、かつ上記ＨＤＤユニット収納部１０１の第１〜第４の弾性片１０８〜１１１に対応する位置に、上記一側面２０４ａに対して略垂直に鉤形状の第１〜第４のフック片２１２〜２１５を設けることにより構成されている。
【００３５】
上記第１〜第４のフック片２１２〜２１５は、上記キャディー２０４の一側面２０４ａの一部を切り起こすことによりこれと一体に形成されている。また、上記キャディー２０４の両側面には、レール状の凸部２１６が切り起こし形成されている。
【００３６】
そして、上記レール状の凸部２１６を上記ＨＤＤユニット収納部１０１側の挿入ガイド部材１１４の凹部１１５に勘合して、上記ＨＤＤユニット２０１をＨＤＤユニット収納部１０１内に挿入すると、図４に２点鎖線で示したように、上記第１〜第４のフック片２１２〜２１５の先端部に設けたテーパー面２１７に上記ＨＤＤユニット収納部１０１に設けた第１〜第４の平板状の弾性片１０８〜１１１の端部が当接し、上記第１〜第４の平板状の弾性片１０８〜１１１は撓みながら、上記第１〜第４のフック片２１２〜２１５の凹部２１８内に圧入されて、上記ＨＤＤユニット２０１はＸ−Ｘ方向（図１の左右方向）への動きを規制される。
【００３７】
また、上記第２，第４の平板状の弾性片１０９，１１１に設けられたスリット１１２に上記第２，第４のフック片２１３，２１５の根元部が圧入されることにより、上記ＨＤＤユニット２０１はＹ−Ｙ方向（図１の前後方向）への動きを規制される。
【００３８】
なお、上記第１〜第４の平板状の弾性片１０８〜１１１が上記第１〜第４のフック片２１２〜２１５の凹部２１８内に圧入される際に上記第１〜第４の平板状の弾性片１０８〜１１１が撓むのを許容するために、図５に示したように、上記第１〜第４の平板状の弾性片１０８〜１１１とＨＤＤユニット２０１の外側面との間には適宜の隙間δ（０．５ｍｍ前後）が設定されている。
【００３９】
（４）ロックレバーの構造
図６に示したように、上記ロックレバー３０１は、第１の回動レバー３１１と、第２の回動レバー３２１とを備えている。
【００４０】
上記第１の回動レバー３１１は、軸３１２により回動可能に上記キャディー２０４に取り付けられている。
【００４１】
上記第１の回動レバー３１１は、上記軸３１２を中心にして、第１〜第３の突起３１３〜３１５を有している。
【００４２】
上記第１の突起３１３は、手動操作用のレバーとして使用されるようになっているとともに、上記第２，第３の突起３１４，３１５は、上記第２の回動レバー３１１と係合するカムとして使用されるようになっている。
【００４３】
上記第１の回動レバー３２１は、ロック解除方向に回動させると、上記第１の突起３１３の一側部が上記キャディー２０４の上端の中央部に設けた挿抜用の把手部２０５の一側部に当接して更なる回動を阻止されるようになっている。
【００４４】
上記第２の回動レバー３２１は、軸３２２により回動可能に上記キャディー２０４に取り付けられている。
【００４５】
上記第２の回動レバー３２１は、上記軸３２２を中心にして略放射状に第４〜第８の突起３２３〜３２８を有している。
【００４６】
上記第４，第５の突起３２３，３２４の間に上記第１の回動レバー３１１の第２の突起３１４が係合している状態において、上記第６の突起３２５は、上記キャディー２０４の外側面と略面一（上記外側面から殆ど突出していない）状態になっているとともに、上記第７の突起３２６は、上記キャディー２０４の外側面から突出した状態になっている。また、上記第４，第５の突起３２３，３２４の間に上記第２の突起３１４が係合している状態において、上記第１の回動レバー３１１は、上記第１の突起３１３が上記挿抜用の把手２０５の一側面に押し付けられた状態になっている。
【００４７】
（５）実施例の作用、効果
図６〜７に示したロック解除状態で、上記ＨＤＤユニット２０１を上記ＨＤＤユニット収納部１０１に所定量挿入すると、図８に示したように、上記第７の突起３２６が上記ＨＤＤ収納部１０１に設けたレバー係合部１０５に当接し、更なる挿入を阻止される。
【００４８】
図８の状態において、上記ＨＤＤユニット２０１に設けられた第１〜第４のフック片２１２〜２１５と、上記ＨＤＤユニット収納部１０１に設けられた第１〜第４の平板状の弾性片１０８〜１１１とは非接触状態に保たれている（第２，第４のフック片２１３，２１５は、第２，第４の平板状の弾性片１０９，１１１に接触しているように見えるが、第２，第４の平板状の弾性片１０９，１１１は、スリット１１２の部分が上記第２，第４のフック片２１３，２１５の凹部２１８に位置しているだけであって、両者は接触していない）。また、上記ＨＤＤユニット２０１と上記ＨＤＤユニット収納部１０１に設けた第１のストッパー部１０６は非接触状態に保たれ、上記ＨＤＤユニットのコネクタ２２１と上記ＳＣＡコネクタ１２１も非勘合状態に保たれている。
【００４９】
次に、上記第１の突起３１３を操作して第１の回動レバー３１１をロック方向（矢印方向）に回動させると、上記第２，第３の突起３１４，３１５及び第４，第５の突起３２３，３２４を介して、上記第２の回動レバー３２１が上記第１の回動レバー３１１と逆方向に回動し、上記第６の突起３２５が上記キャディー２０４の外側面から突出してくるとともに、上記第７の突起３２６が上記レバー係合部１０５から逃げる方向に移動していく。
【００５０】
そして、上記第６の突起３２５が上記レバー係合部１０５の内面に当接する。この状態で上記第１の回動レバー３１１を更にロック方向に回動させるとその反力で上記ＨＤＤユニット２０１が上記ＨＤＤユニット収納部１０１内に挿入され、図９に示したように、上記ＨＤＤユニット２０１の下端は第１のストッパー部１０６に押し付けられ、上記ＨＤＤユニットのコネクタ２２１とＳＣＡコネクタ１２１が勘合した状態になるとともに、上記第１〜第４のフック片２１２〜２１５がＨＤＤユニット収納部１０１に設けた第１〜第４の平板状の弾性片１０８〜１１１に圧接触して、これら第１〜第４の平板状の弾性片１０８〜１１１を僅かに撓ませて、上記ＨＤＤユニット２０１を挿入方向と直交する方向（図１の前後方向と左右方向）に固定する。
【００５１】
そして、上記第１の回動レバー３１１をロック方向に最大限回動させると、上記第１の回動レバー３１１の第３の突起３１５の頂部は上記第４の突起３２３を乗り越えて、該第４の突起３２３によって戻り回動（ロック解除方向への回動）を阻止され、上記第１の回動レバー３１１は、セルフロックされた状態になるのである。従って、上記ＨＤＤユニット２０１は、上記ロックレバー３０１と第１のストッパー部１０６の間で挟着された状態になって挿抜方向（図１の上下方向）の動きを規制されるのである。なお、ＨＤＤ収納部１０１からのＨＤＤユニット２０１の抜出操作は、上記ＨＤＤ収納部１０１へのＨＤＤユニット２０１の挿入操作とほぼ逆の手順を経ることにより行われる。
【００５２】
（５）他の実施例
図面に示す実施例では、第２のストッパー部１０７を第１〜第４の平板状の弾性片１０８〜１１１で構成し、これら弾性片１０８〜１１１をＨＤＤユニット収納部１０１の一側面の四隅部に配置する構成としたが、上記第２のストッパー部１０７を構成する平板状の弾性片の数は４個に限らず適宜に増減することが可能である。
【００５３】
また、実施例ではビデオサーバーを例にとって説明したがビデオサーバーに限定されるものではなく広くＨＤＤを着脱自在に取り付けて使用する放送局用ＡＶ機器その他のデータ記録再生装置に本発明は適用される。
【００５４】
【発明の効果】
本発明のデータ記録再生装置には次に述べるような効果がある。
（１）請求項１の発明は、キャビネットのＨＤＤユニット収納部に挿入したＨＤＤユニットを挿入方向は勿論のこと挿入方向を直交する方向にも固定することができるので車載や梱包輸送などの振動に対してもＨＤＤユニットを十分に保護し、その品質を保証することができる。また、ネジ止め作業が不要であり、キャビネットのＨＤＤユニット収納部へのＨＤＤユニットの着脱作業が容易になる。また着脱作業時における振動や衝撃の発生を抑制することができ、従ってシステム動作中におけるＨＤＤユニットの交換（ホットスワップ）を迅速、かつ確実に行うことが可能になる。また、ＨＤＤユニット収納部にＨＤＤドライブを固定するための構造が簡単であり、小スペース、小型化に対応することができる。
（２）請求項２の発明は、ＨＤＤユニット収納部内にＨＤＤユニット挿入方向と略平行に設けた平板状の弾性片の上面をＨＤＤユニットに設けたフック片で押圧し、上記弾性片の反力を利用することにより、上記ＨＤＤユニットを上記挿入方向と直交する方向に確実にロックすることができる。
（３）請求項３の発明は、平板状の弾性片に設けたスリットにフック片を嵌合させることによってＨＤＤユニットを上下方向、左右方向はもとより、前後方向にも固定することができる。
（４）請求項４の発明は、ＨＤＤユニットの四隅部を押えるので、ＨＤＤユニットのロックは確実なものになる。また、ＨＤＤユニット収納部の開口部側において対向する一対の平板状の弾性片を、開口部の下端側において対向する一対の平板状の弾性片よりも外側に変位させて設けるとともに、ＨＤＤユニットのフック片も上記弾性片の位置に対応させて設けたので、ＨＤＤユニットをＨＤＤユニット収納部に挿入する際に、上記ＨＤＤユニットの下端側に設けた一対のフック片は、上記ＨＤＤユニット収納部の開口部側に設けた一対の平板状の弾性片間を通過して、下端側に設けた一対の平板状の弾性片に係合する。
【図面の簡単な説明】
【図１】ビテオサーバーの斜視図。
【図２】ＨＤＤユニット収納部の平面図。
【図３】ＨＤＤユニット収納部の正面図。
【図４】ＨＤＤユニットの斜視図。
【図５】ＨＤＤユニットを収納した状態の平面図。
【図６】ロック手段の正面図。
【図７】作用を示す説明図。
【図８】作用を示す説明図。
【図９】作用を示す説明図。
【符号の説明】
１…ビテオサーバー（データ記録再生装置）、２…キャビネット、１０１…ＨＤＤユニット収納部、１０６…第１のストッパー部、１０７…第２のストッパー部、１０８〜１１１…第１〜第４の弾性片、１１２…スリット、２０１…ＨＤＤユニット、２１１…ストッパー接触部、２１２〜２１５…第１〜第４のフック片、３０１…ロックレバー。
【図１】
0004106809.tif 000002
【図２】
0004106809.tif 000003
【図３】
0004106809.tif 000004
【図４】
0004106809.tif 000005
【図５】
0004106809.tif 000006
【図６】
0004106809.tif 000007
【図７】
0004106809.tif 000008
【図８】
0004106809.tif 000009
【図９】
0004106809.tif 000010